(57)【要約】【課題】装置全体の厚さを小さく抑えることができ、且つ読取口付近において情報コードを撮像し得る領域を広く確保しやすく、更に、ノイズ光による影響をより低減しやすい据置型情報コード読取装置を提供する。【解決手段】読取装置１は、第１視野範囲ＡＲ１の第１光軸Ｌ１と、第２視野範囲ＡＲ２の第２光軸Ｌ２とを通る面で切断した切断面において、反射面２９ａの位置を中心線としたときの視野範囲の主点Ｐａと対称の位置を第１仮想主点Ｐｂ１とし、プレート７の下面の位置を中心線としたときの第１仮想主点Ｐｂ１と対称の位置を第２仮想主点Ｐｂ２とし、反射面２９ａの位置を中心線としたときの第２仮想主点Ｐｂ２と対称の位置を第３仮想主点Ｐｂ３とした場合、第３仮想主点Ｐｂ３を起点として読取口５の一方の開口端部５ｄを通る第１の直線Ｌａ１よりも下方に外れた位置に反射部材２９が配置されている。【選択図】図１１
2015179507.tif 000002
【特許請求の範囲】
【請求項１】
所定の上下方向の一方側に、光の出入口となる読取口が形成されたケースと、
前記ケースの内部に収容される撮像部と、
前記ケースの内部において前記読取口の下方側に配置されると共に、前記上下方向と直交する平面方向に対して傾斜して配置される反射面を備え、前記ケースの外部から前記読取口を介して入り込む光を前記反射面で反射させる反射部材と、
前記撮像部で撮像可能となる視野範囲を定めると共に、前記ケースの外部から前記読取口を通過して入り込み且つ前記反射部材で反射した光を前記撮像部に導く構成をなし、前記ケースの外部において前記視野範囲に情報コードが配置されたときに当該情報コードの像を前記撮像部に結像させる結像部と、
前記ケースを閉塞するように配置されると共に、少なくとも一部が前記視野範囲に配置される光透過性のプレートと、
を備え、
前記結像部による前記視野範囲として、当該結像部と前記反射部材との間に構成される第１視野範囲と、当該第１視野範囲に続くように前記反射部材から上方側に構成される第２視野範囲とが定められており、
前記第１視野範囲の中心となる第１光軸と、前記第２視野範囲の中心となる第２光軸とを通る面で切断した切断面において、前記反射部材の前記反射面の位置を中心線としたときの前記視野範囲の主点と対称の位置を第１仮想主点とし、前記プレートの下面の位置を中心線としたときの前記第１仮想主点と対称の位置を第２仮想主点とし、前記反射部材の前記反射面の位置を中心線としたときの前記第２仮想主点と対称の位置を第３仮想主点とした場合、前記第３仮想主点を起点として前記読取口の一方の開口端部を通る第１の直線と、前記第３仮想主点を起点として前記読取口の他方の開口端部を通る第２の直線との間の範囲よりも下方に外れた位置に前記反射部材の前記反射面が配置されていることを特徴とする据置型情報コード読取装置。
【請求項２】
前記第１視野範囲の中心となる前記第１光軸が前記上下方向と直交する方向に延び、前記第２視野範囲の中心となる前記第２光軸が前記上下方向に延びていることを特徴とする請求項１に記載の据置型情報コード読取装置。
【請求項３】
前記第１視野範囲の中心となる前記第１光軸と、前記反射部材の前記反射面とのなす角度が４５°よりも大きいことを特徴とする請求項１に記載の据置型情報コード読取装置。
【請求項４】
前記プレートの上面又は下面の少なくともいずれかを覆う構成で当該プレートでの光の透過を抑制又は遮断する遮光層が形成されており、前記読取口が前記遮光層の開口部によって構成されていることを特徴とする請求項１から請求項３のいずれか一項に記載の据置型情報コード読取装置。
【請求項５】
前記ケースの上面部において前記プレートの周囲に遮光性材料が配置されると共に、当該遮光性材料に形成された開口部が前記読取口として構成されており、
前記プレートは、前記開口部を閉塞する構成で配置されていることを特徴とする請求項１から請求項３のいずれか一項に記載の据置型情報コード読取装置。
【請求項６】
照明光を照射する照明光源と、
前記ケースの内部において前記照明光源からの前記照明光が照射される位置に配置され、前記照明光源からの前記照明光が前記読取口の開口領域を通って前記ケースの外部に照射されるように導く導光部材と、
を備え、
前記導光部材の少なくとも一部が、前記反射部材の前記反射面の上端部側から前記プレート側に続くように配置されていることを特徴とする請求項１から請求項５のいずれか一項に記載の据置型情報コード読取装置。
【請求項７】
前記第１光軸と前記第２光軸とを通る面で切断した前記切断面と平行な方向であって且つ前記上下方向と直交する方向を横方向としたとき、前記反射部材が前記撮像部に対して横方向一方側に配置されており、
前記プレートの下面は、前記横方向一方側よりも横方向他方側のほうが上方位置となるように傾斜していることを特徴とする請求項１から請求項６のいずれか一項に記載の据置型情報コード読取装置。
【請求項８】
所定の上下方向の一方側に、光の出入口となる読取口が形成されたケースと、
前記ケースの内部に収容される撮像部と、
前記ケースの内部において前記読取口の下方側に配置されると共に、前記上下方向と直交する平面方向に対して傾斜して配置される反射面を備え、前記ケースの外部から前記読取口を介して入り込む光を前記反射面で反射させる反射部材と、
前記撮像部で撮像可能となる視野範囲を定めると共に、前記ケースの外部から前記読取口を通過して入り込み且つ前記反射部材で反射した光を前記撮像部に導く構成をなし、前記ケースの外部において前記視野範囲に情報コードが配置されたときに当該情報コードの像を前記撮像部に結像させる結像部と、
前記ケースを閉塞するように配置されると共に、少なくとも一部が前記視野範囲に配置される光透過性のプレートと、
を備え、
前記結像部による前記視野範囲として、当該結像部と前記反射部材との間に構成される第１視野範囲と、当該第１視野範囲に続くように前記反射部材から上方側に構成される第２視野範囲とが定められており、
前記第１視野範囲の中心となる第１光軸と前記第２視野範囲の中心となる第２光軸とを通る面で切断した切断面と平行な方向であって且つ前記上下方向と直交する方向を横方向としたとき、前記反射部材が前記撮像部に対して横方向一方側に配置されており、
前記プレートの下面は、前記横方向一方側よりも横方向他方側のほうが上方位置となるように傾斜していることを特徴とする据置型情報コード読取装置。
【請求項９】
前記切断面において、前記反射部材の前記反射面の位置を中心線としたときの前記視野範囲の主点と対称の位置を第１仮想主点とし、前記プレートの下面の位置を中心線としたときの前記第１仮想主点と対称の位置を第２仮想主点とし、前記反射部材の前記反射面の位置を中心線としたときの前記第２仮想主点と対称の位置を第３仮想主点とした場合、前記プレートの下面の位置を通る仮想平面よりも前記第３仮想主点のほうが上方位置に配置されていることを特徴とする請求項７又は請求項８のいずれか一項に記載の据置型情報コード読取装置。
【請求項１０】
前記切断面における前記視野範囲の両境界間の画角である垂直画角が４０度以上であることを特徴とする請求項１から請求項９のいずれか一項に記載の据置型情報コード読取装置。
【発明の詳細な説明】
【技術分野】
【０００１】
本発明は、据置型情報コード読取装置に関するものである。
【背景技術】
【０００２】
現在、バーコードやＱＲコード（登録商標）等の情報コードを読み取る情報コード読取装置が広く提供されており、店舗や事業所などでは据置型の読取装置も用いられている。この据置型の情報コード読取装置は、一般的に、ケースに読取口が形成され、ケースの内部には、受光センサなどからなる撮像部と、撮像部で撮像可能となる視野範囲を定めるための結像レンズとが設けられている。この種の据置型の情報コード読取装置では、ケース外に設定された視野範囲内で読取口に向けて情報コードが翳された場合に、この情報コードが撮像部によって撮像され、その撮像されたコード画像が公知の解読方法で解読される構成となっている。
【先行技術文献】
【特許文献】
【０００３】
【特許文献１】特開平８−１２３８９１号公報
【発明の概要】
【発明が解決しようとする課題】
【０００４】
ところで、据置型の情報コード読取装置によって読み取りを行う場合、例えば載置面上に載置された読取装置に対して使用者が読取対象物を翳すことで、当該読取対象物に付された情報コードを読取装置に認識させるようなやり方が一般的である。つまり、携帯型のように読取装置を読取対象物に近づけるのではなく、読取対象物を読取装置に近づけるような読み取らせ方が一般的であるため、使用者がそれほど位置合わせに気を使わずとも良好に読み取られることが望ましい。特に、使用者が読取対象物を読取口に接触させるケースも想定されるため、読取装置では、読取対象物が読取口に近接或いは当接した場合であっても、これに付された情報コード全体を良好に撮像する必要がある。但し、そのためには、読取口付近で視野範囲が広く確保されるように光学系（受光センサ及び結像レンズ）から読取口までの距離を大きくする必要があり、その結果、装置サイズの大型化、特に厚さの増大を招いていた。
【０００５】
本願の発明者は、このような厚さの増大の問題を解消するべく、読取口から入り込む光を反射させる反射部を設け、情報コードからの反射光を反射部で反射させると共に、その反射部で反射した光を結像レンズによって受光センサに結像させる構成を想定した。この構成では、結像部からケース外まで続く視野範囲の経路がケース内において折れ曲がるように設定されることになる。つまり、ケースの厚さをそれほど大きくしなくても、光学系から読取口までの距離（視野範囲の経路の距離）を大きく確保しやすいため、読取口付近の視野範囲をより大きく確保しつつ、ケースの厚さを低減しやすくなる。
【０００６】
しかしながら、このように反射部材を用いることで広い視野範囲の確保と薄型化を両立しようとする構成では、本来の視野範囲以外の領域からノイズ光が入り込みやすくなるという問題がある。
【０００７】
例えば、読取口を介してケース外の領域を撮像する構成の読取装置では、ケース内に水滴や埃などの異物が極力入り込まないように、視野範囲の経路上にケースを閉塞するための光透過性の防塵プレートを配置することが望ましいが、反射部材を用いて薄型化を図ろうとする上述の構成では、視野範囲とは異なる方向からの外来光がケース内に入り込んで反射部材で反射したときに、その反射光が更に上記防塵プレートで反射してしまい、その光が視野範囲に映り込んでしまう虞がある。このように、外乱光に起因する映り込みが生じると、本来撮像されるべき情報コードが鮮明に撮像されず、デコード不良が生じやすくなってしまう。
【０００８】
本発明は、上述した課題を解決するためになされたものであり、装置全体の厚さを小さく抑えることができ、且つ読取口付近において情報コードを撮像し得る領域を広く確保しやすく、更に、ノイズ光による影響をより低減しやすい据置型情報コード読取装置を提供することを目的とする。
【課題を解決するための手段】
【０００９】
第１の発明は、所定の上下方向の一方側に、光の出入口となる読取口が形成されたケースと、
前記ケースの内部に収容される撮像部と、
前記ケースの内部において前記読取口の下方側に配置されると共に、前記上下方向と直交する平面方向に対して傾斜して配置される反射面を備え、前記ケースの外部から前記読取口を介して入り込む光を前記反射面で反射させる反射部材と、
前記撮像部で撮像可能となる視野範囲を定めると共に、前記ケースの外部から前記読取口を通過して入り込み且つ前記反射部材で反射した光を前記撮像部に導く構成をなし、前記ケースの外部において前記視野範囲に情報コードが配置されたときに当該情報コードの像を前記撮像部に結像させる結像部と、
前記ケースを閉塞するように配置されると共に、少なくとも一部が前記視野範囲に配置される光透過性のプレートと、
を備え、
前記結像部による前記視野範囲として、当該結像部と前記反射部材との間に構成される第１視野範囲と、当該第１視野範囲に続くように前記反射部材から上方側に構成される第２視野範囲とが定められており、
前記第１視野範囲の中心となる第１光軸と、前記第２視野範囲の中心となる第２光軸とを通る面で切断した切断面において、前記反射部材の前記反射面の位置を中心線としたときの前記視野範囲の主点と対称の位置を第１仮想主点とし、前記プレートの下面の位置を中心線としたときの前記第１仮想主点と対称の位置を第２仮想主点とし、前記反射部材の前記反射面の位置を中心線としたときの前記第２仮想主点と対称の位置を第３仮想主点とした場合、前記第３仮想主点を起点として前記読取口の一方の開口端部を通る第１の直線と、前記第３仮想主点を起点として前記読取口の他方の開口端部を通る第２の直線との間の範囲よりも下方に外れた位置に前記反射部材の前記反射面が配置されていることを特徴とする。
【００１０】
第２の発明は、所定の上下方向の一方側に、光の出入口となる読取口が形成されたケースと、
前記ケースの内部に収容される撮像部と、
前記ケースの内部において前記読取口の下方側に配置されると共に、前記上下方向と直交する平面方向に対して傾斜して配置される反射面を備え、前記ケースの外部から前記読取口を介して入り込む光を前記反射面で反射させる反射部材と、
前記撮像部で撮像可能となる視野範囲を定めると共に、前記ケースの外部から前記読取口を通過して入り込み且つ前記反射部材で反射した光を前記撮像部に導く構成をなし、前記ケースの外部において前記視野範囲に情報コードが配置されたときに当該情報コードの像を前記撮像部に結像させる結像部と、
前記ケースを閉塞するように配置されると共に、少なくとも一部が前記視野範囲に配置される光透過性のプレートと、
を備え、
前記結像部による前記視野範囲として、当該結像部と前記反射部材との間に構成される第１視野範囲と、当該第１視野範囲に続くように前記反射部材から上方側に構成される第２視野範囲とが定められており、
前記第１視野範囲の中心となる第１光軸と前記第２視野範囲の中心となる第２光軸とを通る面で切断した切断面と平行な方向であって且つ前記上下方向と直交する方向を横方向としたとき、前記反射部材が前記撮像部に対して横方向一方側に配置されており、
前記プレートの下面は、前記横方向一方側よりも横方向他方側のほうが上方位置となるように傾斜していることを特徴とする。
【発明の効果】
【００１１】
請求項１の発明は、ケースの外部から読取口を介して入り込む光を反射面で反射させる反射部材と、撮像部で撮像可能となる視野範囲を定めると共に、ケースの外部から読取口を通過して入り込み且つ反射部材で反射した光を撮像部に導く構成をなし、ケースの外部において視野範囲に情報コードが配置されたときに当該情報コードの像を撮像部に結像させる結像部とを備えている。このように、ケース内に反射部材を介在させ、結像部からケース外まで続く視野範囲の経路（即ち、読取口から入り込んだ光を結像部に導く経路）をケース内において折れ曲がるように構成することで、ケースの厚さをそれほど大きくしなくても、光学系から読取口までの距離（読取口から入り込んだ光が結像部に入り込むまでの経路の長さ）を大きく確保しやすくなる。これにより、読取口付近の視野範囲をより大きく確保しつつ、ケースの厚さを低減して小サイズ化を図ることができる。
更に、結像部によって設定される第１視野範囲の中心となる第１光軸と、第２視野範囲の中心となる第２光軸とを通る面で切断した切断面において、反射部材の反射面の位置を中心線としたときの視野範囲の主点と対称の位置を第１仮想主点とし、プレートの下面の位置を中心線としたときの第１仮想主点と対称の位置を第２仮想主点とし、反射部材の反射面の位置を中心線としたときの第２仮想主点と対称の位置を第３仮想主点とした場合、第３仮想主点を起点として読取口の一方の開口端部を通る第１の直線と、第３仮想主点を起点として読取口の他方の開口端部を通る第２の直線との間の範囲よりも下方に外れた位置に反射部材が配置されている。
このような位置関係で読取口と反射部材を配置すると、視野範囲とは異なる領域から読取口内に入り込んだ外来光が反射部材で反射し、その反射光がプレートの裏面で鏡面反射したときに、プレートでの鏡面反射光が撮像部に映り込みにくくなる。従って、外来光の映り込みに起因して情報コードが不鮮明に撮像される問題等をより確実に抑制することができ、外来光の映り込みに起因するデコード不良をより確実に低減することができる。
【００１２】
請求項２の発明は、第１視野範囲の中心となる第１光軸が上下方向と直交する方向に延び、第２視野範囲の中心となる第２光軸が上下方向に延びている。このようにすると、結像部を特異な傾きにすることなく第２視野範囲の光軸（第２光軸）を上下方向に定めることができる。そして、このように第２視野範囲の光軸（第２光軸）を上下方向に定めると、使用者は、情報コードが付された面を特別な向きにする必要がなく、水平にするように翳せば、情報コードをより簡単に読み取らせやすくなる。
【００１３】
請求項３の発明は、第１視野範囲の中心となる第１光軸と、反射部材の反射面とのなす角度が４５°よりも大きい構成となっている。このようにすると、外来光の映り込みを抑えつつ、反射部材の反射面をより大きく確保しやすくなり、読取口付近の視野範囲をより広く確保しやすくなる。
【００１４】
請求項４の発明は、プレートの上面又は下面の少なくともいずれかを覆う構成で当該プレートでの光の透過を抑制又は遮断する遮光層が形成されており、読取口が遮光層の開口部によって構成されている。このようにすると、ケースの形状を複雑にしなくても、遮光層の範囲を調整することで外来光の映り込みを簡単に抑えることができる。
【００１５】
請求項５の発明は、ケースの上面部においてプレートの周囲に遮光性材料が配置されると共に、当該遮光性材料に形成された開口部が読取口として構成されており、プレートは、開口部を閉塞する構成で配置されている。このようにすると、遮光性材料の形状を調整することで、外来光の映り込みを簡単に抑えることができる。また、プレートをより小さくすることができるため、プレートの内面で生じる内部反射光をより低減することができ、内部反射光に起因する映り込みをより一層低減しやすくなる。
【００１６】
請求項６の発明は、照明光を照射する照明光源と、ケースの内部において照明光源からの照明光が照射される位置に配置され、照明光源からの照明光が読取口の開口領域を通ってケースの外部に照射されるように導く導光部材と、を備え、導光部材の少なくとも一部が、反射部材の反射面の上端部側からプレート側に続くように配置されている。
この構成では、反射部材をプレートからある程度離して配置することで外来光の映り込みを抑制することができ、このように意図的に空けたスペースを導光部材の配置スペースとして利用することができる。特に、プレート近傍が導光部材の配置領域となるため、照明光源からの光をより効率的に読取口近傍に照射することができる。
【００１７】
請求項７、８の発明は、第１光軸と第２光軸とを通る面で切断した切断面と平行な方向であって且つ上下方向と直交する方向を横方向としたとき、反射部材が撮像部に対して横方向一方側に配置されており、プレートの下面は、横方向一方側よりも横方向他方側のほうが上方位置となるように傾斜している。
このように、横方向一方側よりも横方向他方側のほうが上方位置となるようにプレートの下面を傾斜させることで、読取口や反射部材をより広く確保しつつ、外来光の悪影響が懸念されるエリアをより削減しやすくなる。ゆえに、プレート近傍においてより広い読取範囲を確保しやすく、その一方で、外来光の映り込みに起因して情報コードが不鮮明に撮像される問題等をより確実に抑制することができ、外来光の映り込みに起因するデコード不良をより確実に低減することができる。
【００１８】
請求項９の発明は、切断面において、反射部材の反射面の位置を中心線としたときの視野範囲の主点と対称の位置を第１仮想主点とし、プレートの下面の位置を中心線としたときの第１仮想主点と対称の位置を第２仮想主点とし、反射部材の反射面の位置を中心線としたときの第２仮想主点と対称の位置を第３仮想主点とした場合、プレートの下面の位置を通る仮想平面よりも第３仮想主点のほうが上方位置に配置されている。
このような関係で構成すると、視野範囲とは異なる領域から読取口内に入り込んだ外来光が反射部材で反射し、その反射光がプレートの裏面で鏡面反射したときに、その鏡面反射光の向きを、撮像部に向かう方向からより一層外すことができる。ゆえに、プレートでの鏡面反射光が撮像部に映り込むことを、より確実に排除しやすくなる。
【００１９】
請求項１０の発明は、切断面における視野範囲の両境界間の画角である垂直画角が４０度以上である。
このように、垂直画角が４０度以上となるように構成することで、より広い視野範囲を確保しやすくなる。但し、このように視野範囲を広角に広げると、外来光の影響をより受けやすくなるが、本発明のように外来光の影響を抑制可能な構成とすれば、視野範囲を広角に広げつつ、外来光の映り込みに起因するデコード不良をより確実に低減することができる。
【図面の簡単な説明】
【００２０】
【図１】図１は、第１実施形態に係る据置型情報コード読取装置を概略的に示す斜視図である。
【図２】図２は、図１の据置型情報コード読取装置を図１とは異なる方向から見た斜視図である。
【図３】図３は、図１の据置型情報コード読取装置の平面図である。
【図４】図４は、図３のＡ−Ａ断面を概略的に示す断面概略図である。
【図５】図５は、図４のＢ−Ｂ断面を概略的に示す断面概略図である。
【図６】図６は、図４のＣ−Ｃ断面を概略的に示す断面概略図である。
【図７】図７は、図４のＤ−Ｄ断面を概略的に示す断面概略図である。
【図８】図８は、図４のＥ−Ｅ断面を概略的に示す断面概略図である。
【図９】図９は、図１の据置型情報コード読取装置の電気的構成を概略的に例示するブロック図である。
【図１０】図１０は、図１の据置型情報コード読取装置で構成される高照度領域等を説明する説明図である。
【図１１】図１１は、第１実施形態に係る据置型情報コード読取装置における読取口、反射部材、結像部、撮像部等の関係を概略的に示す概略図である。
【図１２】図１２は、第２実施形態に係る据置型情報コード読取装置における読取口、反射部材、結像部、撮像部等の関係を概略的に示す概略図である。
【図１３】図１３は、第３実施形態に係る据置型情報コード読取装置における読取口、反射部材、結像部、撮像部等の関係を概略的に示す概略図である。
【図１４】図１４は、比較例の据置型情報コード読取装置における読取口、反射部材、結像部、撮像部等の関係を概略的に示す概略図である。
【図１５】図１５は、第４実施形態に係る据置型情報コード読取装置における読取口、反射部材、結像部、撮像部等の関係を概略的に示す概略図である。
【図１６】図１６は、第５実施形態の第１例に係る据置型情報コード読取装置における読取口、反射部材、結像部、撮像部等の関係を概略的に示す概略図である。
【図１７】図１７は、第５実施形態の第２例に係る据置型情報コード読取装置における読取口、反射部材、結像部、撮像部等の関係を概略的に示す概略図である。
【図１８】図１８は、第５実施形態の第３例に係る据置型情報コード読取装置における読取口、反射部材、結像部、撮像部等の関係を概略的に示す概略図である。
【図１９】図１９は、図１７の構成と比較する比較例を概略的に示す概略図である。
【図２０】図２０は、図１８の構成と比較する比較例を概略的に示す概略図である。
【発明を実施するための形態】
【００２１】
[第１実施形態]
以下、本発明の光学的情報読取装置を具現化した第１実施形態について、図面を参照して説明する。
（光学的情報読取装置の全体構成）
図１〜図３等に示す据置型情報コード読取装置１（以下、単に読取装置１ともいう）は、机や棚などの上面を載置面（図４、図５の載置面Ｆを参照）としてこの載置面上に載置される据置型装置として構成されており、バーコード等の一次元コードやＱＲコード（登録商標）等の二次元コードなど情報コードを読み取る情報コードリーダとしての機能を有している。
【００２２】
読取装置１は、例えばＡＢＳ樹脂等の樹脂材料によって構成されるケース３を備えている。このケース３は、図４〜図６等に示すように、上ケース４ａと下ケース４ｂと備えており、全体として箱状に構成されている。そして、ケース３の内部には、後述する反射部材２９、結像部２７、撮像部２３、導光部材５０などの各部品が収容されている。また、図３等に示すように、ケース３において、所定の上下方向の一方側に設けられた上面部（読取側壁部３ａ）には光の出入口となる読取口５が形成されており、読取口５を介してケース３の外部からの光がケース３の内部に入り込み、ケース３の内部からの光がケース３の外部に放出されるようになっている。そして、反射部材２９、結像部２７、撮像部２３によって構成される光学系は、この読取口５を介してケース３の外部に配置された情報コードＣ（図９）を撮像するように機能している。
【００２３】
図４、図５等に示すように、箱状に構成されるケース３には、据置型情報コード読取装置１を載置するときの載置面側（図４の例では載置面Ｆ側）に設けられる底壁部３ｂと、読取口５が形成された読取側壁部３ａとが対向して設けられている。そして、底壁部３ｂが載置面Ｆに支持されるように配置され、この底壁部３ｂと対向する読取側壁部３ａが、情報コードＣを翳す側の露出壁部として構成されている。なお、本構成では、底壁部３ｂと読取側壁部３ａとの対向方向（即ち、ケース３の厚さ方向であり、図２に示す載置面Ｆと直交する方向）を上下方向とし、読取口５が形成された側（読取側壁部３ａ側）を上方側、それとは反対側（底壁部３ｂ側）を下方側としている。また、この上下方向と直交する平面方向を水平方向としている。なお、プレート７の厚さ方向も上下方向となっており、後述する第２視野範囲ＡＲ２の光軸Ｌ２の方向も上下方向となっている。
【００２４】
図４〜図６等に示すように、ケース３の上面側には、上ケース４ａの上端部に形成された開口部４ｃを閉じる構成でケース３を閉塞するように配置され、少なくとも一部が視野範囲に配置されるプレート７が配置されている。このプレート７は、所定の厚さの平坦な板として構成され、ケース３の外部からの光が透過可能となる光透過性の部材（例えば、透明なアクリル樹脂や透明ガラス等）によって構成されている。このプレート７は、防塵プレートとして機能しており、このようなプレート７が上ケース４ａに形成された開口部４ｃを閉塞することで、ケース３の内部にケース外からの異物（塵や埃など）が入り込みにくくなっている。また、プレート７の上面部を部分的に覆う構成で光遮光性の塗料などからなる被覆層８が形成されている。この被覆層８は、プレート７の周縁部に沿って環状に形成されており、被覆層８の内縁部によって構成される開口部が読取口５となっている。
【００２５】
次に、読取装置１の電気的構成について説明する。図９に示すように、読取装置１は、主に、照明光源２１、結像部２７、撮像部２３等の光学系と、メモリ３５、制御回路４０等のマイクロコンピュータ（以下「マイコン」という）系と、図示しない電源部、電源スイッチ等の電源系とを備えている。
【００２６】
光学系は、投光光学系と、受光光学系とに分かれている。投光光学系を構成する照明光源２１は、照明光を照射可能な光源として機能するものであり、例えば、ＬＥＤなどによって構成されている。この照明光源２１は、図３等に示すように、ケース３の長手方向一方側に配置される第１光源２１ａ，２１ｂと、ケース３の長手方向他方側に配置される第２光源２１ｃ，２１ｄとを備えており、第１光源２１ａ，２１ｂ及び第２光源２１ｃ，２１ｄのそれぞれがＬＥＤなどの投光素子として構成され、横向きに照明光を照射する機能を有している。
【００２７】
図１〜図８等に示すように、投光光学系は、照明光源２１からの光を導く導光部材５０を備えている。この導光部材５０は、ケース３の内部において照明光源２１からの照明光が照射される位置に配置され、照明光源２１からの照明光が読取口５の開口領域γ（図４等参照）を通ってケース３の外部に照射されるように導く構成となっている。なお、導光部材５０の詳細は後述する。
【００２８】
図９に示すように、受光光学系は、撮像部２３、結像部２７、反射部材２９などによって構成されている。
撮像部２３は、例えばＣＣＤ素子やＣＭＯＳ素子などの固体撮像素子（受光素子）が二次元的に配列された受光センサ（エリアセンサ）などによって構成されており、図４、図９等に示すように、結像部２７側にケース外からの光を受光し得る受光面２３ａが配置されている。この撮像部２３は、反射部材２９で反射された光が結像部２７を通過して受光面２３ａに入り込もうとする入射光を受光し得るように基板に実装されている。そして、例えば、図９のように、情報コードＣが示された読取対象物Ｒが視野範囲内（具体的には、第２視野範囲ＡＲ２におけるケース外の領域）に配置されたときに、この情報コードＣ及び読取対象物Ｒに照射されて反射した反射光Ｌｒ（図９参照）を受光する構成となっている。また、撮像部２３は、受光面２３ａにおいて光を検出しうる領域（固体撮像素子が配置された領域）が「所定の受光領域」として設定されており、図４等では、撮像部２３における受光領域の範囲を符号Ｄ１にて概念的に示している。即ち、受光面２３ａにおいて範囲Ｄ１に入射する光が撮像部２３に検出されるようになっている。なお、図４等に示す例では、撮像部２３における受光領域の範囲は、例えば受光面２３ａにおいて光軸Ｌ１を中心とする上下方向所定範囲となっており、且つ光軸Ｌ１を中心とする左右方向（幅方向）所定範囲となっている。なお、図４等に示す例では、受光面２３ａが前後方向とほぼ直交して配置されている。
【００２９】
図４、図９等に示す結像部２７は、公知の結像レンズによって構成され、結像光学系として機能しており、図４に示すように、撮像部２３で撮像可能となる視野範囲を定めると共に、ケース３の外部から読取口５を通過して入り込み且つ反射部材２９で反射した光を撮像部２３に導く構成をなし、ケース３の外部において視野範囲に情報コードＣが配置されたときに当該情報コードＣの像を撮像部２３に結像させるように機能する。本構成では、図１０等に示すように照明光源２１から照射され、導光部材５０によってケース外に導かれた照明光を情報コードＣに当てながら当該情報コードＣを撮像し得るようになっており、図４、図９等に示す結像部２７は、情報コードＣが視野範囲内（撮像エリア内）に配置されたときに、この情報コードＣからの反射光Ｌｒを集光し、撮像部２３の受光面２３ａに情報コードＣの像を結像させるように構成されている。なお、結像部２７としては、例えば、焦点距離が短く画角の広い広角レンズを好適に用いることができる。
【００３０】
図９で示すように、マイコン系は、増幅回路３１、Ａ／Ｄ変換回路３４、メモリ３５、アドレス発生回路３６、同期信号発生回路３８、制御回路４０等によって構成されており、例えば上述した光学系によって撮像された情報コードＣの画像信号を信号処理するように構成されている。具体的には、視野範囲内に配置された情報コードＣが撮像部２３によって撮像されたときの画像データをメモリ３５に記憶可能に構成されており、制御回路４０は、このような情報コードＣの画像データを解析し、当該情報コードＣに記録されたデータを公知の解読方法で解読するように構成されている。なお、制御回路４０は、解読部の一例に相当し、視野範囲内に配置された情報コードＣが撮像部２３によって撮像された場合に、この情報コードＣのコード画像を公知のデコード方法で解読するように機能する。
【００３１】
なお、図９等では図示を省略しているが、読取装置１には押圧ボタンなどの操作部が設けられていてもよく、この場合、ユーザが操作部を操作したときにその操作に応じた信号が制御回路に入力されることとなる。また、公知の通信インタフェースが設けられていてもよく、この構成では、読取装置１から図示しない外部装置に情報を送信したり、読取装置１が外部装置から情報を受信したりすることが可能となる。また、ランプや表示装置などの表示部が設けられていてもよい。
【００３２】
読取対象となる情報コードＣとしては、例えばＱＲコード（登録商標）などが挙げられ、公知のコードであれば、データマトリックスコードやマキシコードなどの他の二次元コードであってもよい。或いは、バーコードなどの公知の一次元コードであってもよい。また、読取対象となる情報コードＣの形成方法は特に限定されず、印刷、ダイレクトマーキング、画像表示など様々な方法が想定される。また、読取対象物Ｒ（図９）の材質や構造も様々であり、金属材料、樹脂材料、紙など、様々な材料が対象となり、携帯端末（携帯電話機やスマートフォンなどの携帯型情報処理装置）やその他の情報処理装置などであってもよい。
【００３３】
（撮像構造）
次に、撮像構造等について詳述する。
本構成では、ケース３の内部に反射部材２９、結像部２７、撮像部２３、照明光源２１、導光部材５０が収容されている。以下では、これら反射部材２９、結像部２７、撮像部２３、照明光源２１、導光部材５０等についてより詳細に説明する。
【００３４】
なお、本明細書では、上下方向と直交する平面方向（水平方向）において、ケース３の長手方向を幅方向（左右方向）とし、その平面方向（水平方向）においてケース３の短手方向（上下方向及び幅方向と直交する方向）を前後方向とする。
【００３５】
図４〜図６等に示すように、本構成では、ケース３の上面部（上壁部）として、板状のプレート７が配置されており、このプレート７が読取側壁部３ａに相当している。図３のように読取装置１を平面視したときのプレート７の長手方向中央部及び短手方向中央部には、略矩形状の読取口５が形成されている。読取口５は、図３のように平面視したときに、当該読取口５の開口領域γ（図３に示す境界線Ｐ３の内側の領域であり、図４も参照）に反射部材２９の反射領域（反射面の領域）が全て収まるようなサイズ及び位置で形成されている。即ち、幅方向において、読取口５の幅方向一端部５ａと幅方向他端部５ｂとの間に反射部材２９の幅方向一端部と他端部が配置され、前後方向において、読取口５の前後方向一端部５ｃと前後方向他端部５ｄとの間に反射部材２９の前後方向一端部と他端部が配置されている。なお、読取口５の幅方向一端部５ａと幅方向他端部５ｂの縁部は、いずれも角部以外のほぼ全体が前後方向に直線状に延びており、読取口５の前後方向一端部５ｃと前後方向他端部５ｄは角部以外のほぼ全体がいずれも幅方向（左右方向）に直線状に延びている。
【００３６】
図４〜図６等に示すように、ケース３の底壁部３ｂは、ケース３の下面部として板状に構成されており、読取装置１が載置面Ｆに載置されるときに、当該底壁部３ｂの下面側が載置面Ｆに支持される構成となっている。この底壁部３ｂは、厚さ方向を上下方向とする構成で外面（下面）の大部分が略平坦面として構成されている。そして、箱状に構成されるケース３の底として機能している。なお、読取側壁部３ａ（上面部）と底壁部３ｂ（下面部）との間には、ケース３内の収容空間（反射部材２９、結像部２７、撮像部２３などが収容される空間）の周囲を取り囲むように側壁部３ｃが設けられている。この側壁部３ｃは、幅方向両側に配置される一対の側壁と、前後方向両側に配置される一対の側壁とを備えており、これら四方の側壁が環状に連結して配置されている。このように環状に配置された側壁部３ｃ（周壁部）の上側を部分的に閉塞する構成で読取側壁部３ａ（上面部）に相当するプレート７が配置され、側壁部３ｃの下側全体を閉塞する構成で底壁部３ｂ（下面部）が配置されている。
【００３７】
図４〜図８等に示すように、プレート７は、上ケース４ａの上端部に形成された開口部を閉塞する構成で配置され、ケース３の上面部を構成しており、ケース３の内部に収容される反射部材２９、結像部２７、導光部材５０の上側を覆う構成で配置されている。そして、図３のように平面視したときには、プレート７の露出部分（図３で概念的に示す境界線Ｐ３の内側の領域である開口領域γ（図４）の部分）を介してケース内の反射部材２９、結像部２７、導光部材５０が視認されるようになっている。プレート７は、透明且つ平坦な板材として構成され、その板面（上面７ａ及び下面７ｂ）と直交する方向が上下方向となるように略水平に配置されている。なお、プレート７は、透明部材の一例に相当し、被覆層８の内周部として構成される読取口５を閉塞するように機能する。つまり、読取口５は、光の出入りを許容する構成であるが、プレート７の閉塞によって水や埃等の侵入を許容しない構成となっている。
【００３８】
反射部材２９は、例えばミラーとして構成され、ケース３の内部において読取口５の下方側に配置され、上下方向と直交する平面方向に対して傾斜して配置される反射面２９ａを備え、ケース３の外部から読取口５を介して入り込む光を反射面２９ａで反射させるように機能する。この反射部材２９は、反射面２９ａ（鏡面）が斜め上側且つ前後方向一方側を向く構成で配置されており、ケース３の上方側から読取口５を通って入り込んだ光を前後方向一方側に反射するように構成されている。より具体的には、反射面２９ａが平坦に構成され、この反射面２９ａが、上下方向及び前後方向と平行な仮想平面と直交するように配置されており、例えば上下方向と平行に入り込んだ光を水平に反射するように、上下方向とのなす角度、及び水平方向（上下方向と直交する平面方向）とのなす角度が４５°となるように配置されている。なお、本構成では、反射部材２９の上側の外面のうち、上方からの光を反射し得るように露出して配置される面が反射面２９ａに相当し、反射面２９ａの上端部２９ｃは、プレート７からやや離れて配置されている。
【００３９】
また、反射部材２９の反射面２９ａの上端部２９ｃは、上下方向においてケース３の上下方向の中心よりもケース上端寄りに配置され、反射部材２９の反射面２９ａの下端部２９ｄは、上下方向において底壁部３ｂ寄りに配置されている。また、反射部材２９の反射面２９ａは、下端部２９ｄの幅が最も狭く、上端部２９ｃの幅が最も広くなるように、上方となるにつれて幅が広くなる構成となっている。
【００４０】
結像部２７は、上述したように広角レンズとして機能する結像レンズによって構成され、図４、図６、図７等に示すようにプレート７から離れた位置（より詳しくは、ケース３の上下方向中心位置よりも下方寄りの位置且つ反射面２９ａの側方の位置）に配置されている。この結像部２７は、ケース３の外部から読取口５を通過して入り込み且つ反射部材２９で反射した光を撮像部２３に導く機能を有し、ケース３の内外において撮像部２３で撮像可能となる視野範囲を定める構成となっている。具体的には、図４に示すように、視野範囲として、当該結像部２７と反射部材２９との間に構成される第１視野範囲ＡＲ１と、当該第１視野範囲ＡＲ１に続くように反射部材２９から上方側に構成される第２視野範囲ＡＲ２とを定めている。つまり、この第１視野範囲ＡＲ１及び第２視野範囲ＡＲ２を撮像エリアとするように、視野範囲からの光を撮像部２３の受光領域に向けて集光し結像させている。なお、第１視野範囲ＡＲ１は、結像部２７によって集光されて直接撮像部２３に撮像される視野範囲であり、第２視野範囲ＡＲ２は、反射部材２９に映り込んだ画像が撮像部２３に撮像される視野範囲である。そして、ケース３の外部に設定された第２視野範囲ＡＲ２内に情報コードＣが配置されたときに当該情報コードＣの像を撮像部２３の受光領域に結像させるように機能している。
【００４１】
図４に示す第１視野範囲ＡＲ１は、結像部２７と反射部材２９との間の空間において撮像部２３によって撮像される範囲であり、反射部材２９に近づくにつれて徐々に広くなるように設定されている。また、第１視野範囲ＡＲ１の中心となる第１光軸Ｌ１は、水平方向（具体的には、前後方向）となっており、反射面２９ａとのなす角度が４５°となっている。そして、図４のように、第１光軸Ｌ１を通り上下方向と平行な平面を切断面として読取装置１を切断した場合、当該切断面上において第１視野範囲ＡＲ１が上下に最も広がるようになっている。そして、図４に示す切断面（光軸Ｌ１を通り上下方向と平行な切断面）では、第１視野範囲ＡＲ１の下限の境界は、反射部材２９に近づくにつれて低位置（下位置）となり、第１視野範囲ＡＲ１の上限の境界は、反射部材２９に近づくにつれて高位置（上位置）となるように構成されている。そして、図４に示す切断面（図３に示すＡ−Ａ位置の切断面であり、読取装置１を左右方向中心位置において左右方向と直交する方向に切断した切断面）において、第１視野範囲ＡＲ１の下限の境界が反射部材２９の反射面２９ａに達した位置（その境界と反射面２９ａとが交わる位置）が第１視野範囲ＡＲ１の下端位置となっている。また、第１視野範囲ＡＲ１の上限の境界は、反射部材２９の反射面２９ａの上端部２９ｃよりもやや上位置（具体的には、上端部２９ｃの上方に配置される反射部５１の外面と交わる位置）となっている。
【００４２】
図４のように、本構成では、反射部材２９の反射領域（反射面２９ａが露出した領域）が、少なくとも第１視野範囲ＡＲ１の下端に位置しており、第１視野範囲ＡＲ１の下端から上端付近まで続いている。つまり、反射部材２９は、図４のような切断面において第１視野範囲ＡＲ１の上下方向の大部分の領域を網羅するように反射面２９ａが配置されている。そして、撮像部２３の受光領域に、反射面２９ａの全領域又は大部分の領域が映り込むように配置されている。
【００４３】
第２視野範囲ＡＲ２は、上述の第１視野範囲ＡＲ１のうちの反射面２９ａに達する領域に続くように反射面２９ａにて折り返された視野範囲であり、この第２視野範囲ＡＲ２に存在する物体等が反射部材２９に映り、撮像部２３によって撮像されるようになっている。逆に、第２視野範囲ＡＲ２の外側は、第１視野範囲ＡＲ１を除き、撮像部２３に撮像されないようになっている。
【００４４】
本構成では、反射面２９ａが水平方向に対して例えば４５度の角度で傾斜し、反射部材２９に対し、前後方向一方側に結像部２７が配置されており、第１視野範囲ＡＲ１の第１光軸Ｌ１が前後に延びる構成で水平となっている。従って、第２視野範囲ＡＲ２の中心となる第２光軸Ｌ２は上下方向に延びている。そして、第１視野範囲ＡＲ１に続くように反射部材２９にて折り返された第２視野範囲ＡＲ２は、上方となるにつれて範囲が広くなるように設定されており、図４のような断面（光軸Ｌ１、Ｌ２を通る断面）では、上方となるにつれて第２視野範囲ＡＲ２が前後に広がるようになっている。
【００４５】
具体的には、第２光軸Ｌ２を中心として上方となるにつれて前後に範囲が広くなるように第２視野範囲ＡＲ２が設定されており、同様に、第２光軸Ｌ２を中心として上方となるにつれて左右に範囲が広くなるように第２視野範囲ＡＲ２が設定されている。そして、結像部２７は、第２視野範囲ＡＲ２から外れた位置に配置されている。即ち、第２視野範囲ＡＲ２の前後方向一方側の境界Ｂ１よりも前後方向一方側に外れた位置に結像部２７が配置されている。このように結像部２７の一部が第２視野範囲ＡＲ２に入り込まないように構成されているため、結像部２７の一部が反射部材２９に映り込んで撮像部２３に撮像されてしまうことがなく、このような映り込みに起因する撮像エリアの縮小が抑えられている。また、図４のように、結像部２７のレンズ部分は、反射部材２９の反射面２９ａ（反射領域）の下端部２９ｂよりも上位置に配置され、反射面２９ａの上端部２９ｃよりも下位置に配置されており、更に、結像部２７の前後方向の一端部（反射部材２９側の端部）は、前後方向において、読取口５の前後方向他端部５ｄと第２光軸Ｌ２との間に配置されている。このように配置することで、結像部２７の映り込みを防ぎつつ、読取口５の下方側の領域を生かすことができる。
【００４６】
また、図４に示すように、第１視野範囲ＡＲ１の中心となる第１光軸Ｌ１及び第２視野範囲ＡＲ２の中心となる第２光軸Ｌ２を通る平面を切断面とした断面において、第２視野範囲ＡＲ２の両境界Ｂ１、Ｂ２が読取口５の内周部５ｆの位置又は内周部５ｆ寄りの近接位置を通る構成となっている。なお、図４の例では、第２視野範囲ＡＲ２の前後方向一方側の境界Ｂ１と前後方向他方側の境界Ｂ２とがいずれも、読取口５の内周部５ｆよりも内側を通るようになっているが、これら境界Ｂ１、Ｂ２がいずれも内周部５ｆを通る構成となっていてもよい。
【００４７】
次に、照明光源２１について説明する。図３、図４、図６、図８に示すように、照明光源２１は、上下方向と直交する平面方向において開口領域γ（図３に示す境界線Ｐ３の内側領域）の外側の位置に配置されている。なお、境界線Ｐ３は、平面方向における開口領域γの境界を概念的に示すものであり、実際は、読取口５の内縁が開口領域γの境界となる。照明光源２１は、ケース３の長手方向一端寄り（幅方向一端寄り）に配置された第１光源２１ａ，２１ｂと、ケース３の長手方向他端寄り（幅方向他端寄り）に配置された第２光源２１ｃ，２１ｄとを有している。これら第１光源２１ａ，２１ｂ及び第２光源２１ｃ，２１ｄはいずれも、プレート７の板面に形成された被覆層８の下方に配置されており、図６、図８のように、第１光源２１ａ，２１ｂ及び第２光源２１ｃ，２１ｄのいずれも、この被覆層８の下位置に配置される基板（基板９１，９２，９３，９４）の下面側に実装されている。なお、基板９１と基板９２は同一基板であってもよく、別々の基板であってもよい。また、基板９３と基板９４は同一基板であってもよく、別々の基板であってもよい。
【００４８】
図４、図６、図８に示すように、第１光源２１ａ，２１ｂ及び第２光源２１ｃ，２１ｄはいずれも、上下方向において、プレート７よりも下方位置且つ後述する導光部材５０の上端位置付近に配置されており、図３のように、平面方向において開口領域γ（境界線Ｐ３の内側領域）から外側に離れた位置に配置されている。そして、第１光源２１ａ，２１ｂ及び第２光源２１ｃ，２１ｄのいずれも、上下方向と直交する横方向（水平方向）及び横方向に対して傾斜した斜め横方向に照明光が照射されるように開口領域γに近づく側に照明光を照射する構成となっている。例えば、図６、図８のように、左右方向（幅方向）一方側に配置された第１光源２１ａ，２１ｂの照射面（発光面）は、これら第１光源２１ａ，２１ｂの側面に相当すると共に左右方向他方側（第２光源２１ｃ，２１ｄ側）に向くように配置され、これら第１光源２１ａ，２１ｂからは、左右方向他方側に向けて照明光が照射されるようになっている。また、左右方向（幅方向）他方側に配置された第２光源２１ｃ，２１ｄの照射面（発光面）は、これら第２光源２１ｃ，２１ｄの側面に相当すると共に左右方向一方側（第１光源２１ａ，２１ｂ側）に向くように配置され、これら第２光源２１ｃ，２１ｄからは、左右方向一方側に向けて照明光が照射されるようになっている。なお、第１光源２１ａ，２１ｂ及び第２光源２１ｃ，２１ｄの照射面となる各側面は、例えば、幅方向と直交する面方向となっており、全ての第１光源２１ａ，２１ｂ及び第２光源２１ｃ，２１ｄの照射面の上下方向の高さは、ほぼ同じ高さになっている。
【００４９】
また、上下方向において照明光源２１と読取口５の間の位置には、少なくとも照明光源２１からの照明光の照射側において照明光源２１の位置から平面方向に沿って読取口５側（第２視野範囲ＡＲ２側）に延びる構成の遮光部（遮光部９１ａ，９２ａ，９３ａ，９４ａ）が配置されている。そして、これら遮光部９１ａ，９２ａ，９３ａ，９４ａにより、照明光源２１から斜め上方側に向かおうとする照明光が遮られる構成となっている。
【００５０】
例えば、図６のように、平面方向において第１光源２１ａと読取口５の間の位置には、少なくとも第１光源２１ａからの照明光の照射側（幅方向における第２光源２１ｃ側）に、第１光源２１ａの位置から平面方向に延びるように遮光部９１ａが配置されている。この遮光部９１ａは、第１光源２１ａが実装される基板９１において第１光源２１ａよりも開口領域γ側（平面方向において開口領域γに近い側）の部分が該当する。そして、この遮光部９１ａにより、第１光源２１ａを起点として斜め上側に向かおうとする光が遮られるようになっている。なお、図６等に示す例では、基板９１、９２、９３、９４は、厚さ方向を上下方向とし、板面方向を水平方向（上下方向と直交する面方向）とするように構成され、基板９１、９２、９３、９４のそれぞれの下面（裏面）に発光素子として構成される第１光源２１ａ、２１ｂ、第２光源２１ｃ、２１ｄがそれぞれ実装されている。そして、例えば、基板９１では、第１光源２１ａの実装面（基板９１の下面）が、少なくとも平面方向において第１光源２１ａの位置から開口領域γに近い側（第２視野範囲ＡＲ２の光軸Ｌ２に近い側）の延びるように配置されている。このように構成されているため、第１光源２１ａから照射された直後の光が斜め上方側に向かおうとしても遮光部９１ａで遮られて多くが下方に反射することになり、第１光源２１ａからの光の多くは、第１光源２１ａよりも斜め上方側に向かいにくくなる。その結果、第１光源２１ａからの光の多くは、水平方向及び斜め下方向に照射されることになる。同様に、図８のように、平面方向において第１光源２１ｂと読取口５の間の位置には、少なくとも第１光源２１ｂからの照明光の照射側において第１光源２１ｂの位置から平面方向に延びるように（具体的には平面方向において読取口５側に延びるように）遮光部９２ａが配置されている。この遮光部９２ａは、第１光源２１ｂが実装される基板９２において第１光源２１ｂよりも開口領域γ側（平面方向において開口領域γに近い側）の部分が該当し、この遮光部９２ａにより、第１光源２１ｂを起点として斜め上側に向かおうとする光が遮られるようになっている。より具体的には、第１光源２１ｂの実装面（基板９２の下面）が、少なくとも平面方向において第１光源２１ｂの位置から開口領域γに近い側（第２視野範囲ＡＲ２の光軸Ｌ２に近い側）の延びるように配置されている。これにより、第１光源２１ｂからの光の多くは、水平方向及び斜め下方向に照射されることになる。なお、図８の説明図では、第１光源２１ｂから照射される光を省略して示している。
【００５１】
また、図６のように、平面方向において第２光源２１ｃと読取口５の間の位置には、少なくとも第２光源２１ｃからの照明光の照射側において第２光源２１ｃの位置から平面方向に延びるように（具体的には平面方向において読取口５側に延びるように）遮光部９３ａが配置されている。この遮光部９３ａは、第２光源２１ｃが実装される基板９３において第２光源２１ｃよりも開口領域γ側（平面方向において開口領域γに近い側）の部分が該当し、この遮光部９３ａにより、第２光源２１ｃを起点として斜め上側に向かおうとする光が遮られるようになっている。より具体的には、第２光源２１ｃの実装面（基板９３の下面）が、少なくとも平面方向において第２光源２１ｃの位置から開口領域γに近い側（第２視野範囲ＡＲ２の光軸Ｌ２に近い側）の延びるように配置されている。これにより、第２光源２１ｃからの光の多くは、水平方向及び斜め下方向に照射されることになる。なお、図６の説明図では、第２光源２１ｃから照射される光を省略して示している。同様に、図８のように、平面方向において第２光源２１ｄと読取口５の間の位置には、少なくとも第２光源２１ｄからの照明光の照射側において第２光源２１ｄの位置から平面方向に延びるように（具体的には平面方向において読取口５側に延びるように）遮光部９４ａが配置されている。この遮光部９４ａは、第２光源２１ｄが実装される基板９４において第２光源２１ｄよりも開口領域γ側（平面方向において開口領域γに近い側）の部分が該当し、この遮光部９４ａにより、第２光源２１ｄを起点として斜め上側に向かおうとする光が遮られるようになっている。より具体的には、第２光源２１ｄの実装面（基板９４の下面）が、少なくとも平面方向において第２光源２１ｄの位置から開口領域γに近い側（第２視野範囲ＡＲ２の光軸Ｌ２に近い側）の延びるように配置されている。これにより、第２光源２１ｄからの光の多くは、水平方向及び斜め下方向に照射されることになる。このように構成されているため、各照明光源２１からの光が直接使用者の目に入り込みにくく、且つ各照明光源２１からの光を後述する導光部材５０に効率的に当てやすくなる。
【００５２】
そして、これらの照明光源２１による照明光の照射先には、導光部材５０が配置されている。図１０で例示されるように、導光部材５０は、読取口５の開口領域γ（図１０に示す境界線Ｐ３の内側領域）において、視野範囲の中心部Ｐ１を通る照明光の照度よりも、視野範囲内の周縁部寄りに定められた所定の高照度領域βを通る照明光の照度のほうが大きくなるように照明光を導く構成となっている。なお、図４、図１０の例では、プレート７の上面の位置において読取口５の内縁部によって囲まれる領域（プレート７の上面において読取口５から露出する領域）が開口領域γに相当している。そして、図１０の例では、この開口領域γにおいて視野範囲の周縁部に沿った環状領域が高照度領域βとなっており、この高照度領域βをハッチングで概念的に示している。
【００５３】
導光部材５０は、照明光源２１からの照明光を反射する複数の反射部５１，５２，５３，５４を備えている。これら反射部５１，５２，５３，５４はいずれも、第２視野範囲ＡＲ２側の面が、照明光源２１からの照明光を反射する反射面として構成されている。そして、各反射部５１，５２，５３，５４の各反射面はいずれも、上下方向と直交する平面方向において、読取口５の開口領域γにおける視野範囲の中心部Ｐ１の位置（即ち、プレート７と光軸Ｌ２が交わる位置）に近づくにつれて下位置となる傾斜面として構成されている。なお、反射部５１，５２，５３，５４は、例えば、遮光性の部材によって構成されており、反射部５１，５２，５３，５４のいずれも、第２視野範囲ＡＲ２側の外面（即ち照明光を反射する反射面）が所定色（例えば、白色等の明色）であり、いずれも第２視野範囲ＡＲ２側の外面に入射する光を拡散反射させる構成となっている。
【００５４】
図１〜図３、図５、図７等に示すように、導光部材５０は、上下方向と直交する所定方向（幅方向）において互いに対向する一対の第１反射部５３，５４を備えている。そして、図５、図７のように、これら一対の第１反射部５３，５４において、一方の第１反射部５４の反射面は、所定方向（幅方向）において他方の反射部５３に近づくにつれて下位置となる傾斜面として構成され、他方の反射部５３の反射面は、所定方向において一方の反射部５４に近づくにつれて下位置となる傾斜面として構成されている。
【００５５】
より具体的には、図３、図５、図７のように、幅方向（上下方向と直交する所定の第１方向）において互いに対向する一対の第１反射部５３，５４と、図３、図４のように、前後方向（上下方向及び第１方向と直交する所定の第２方向）において互いに対向する一対の第２反射部５１，５２とが設けられている。そして、導光部材５０全体が、視野範囲の外側において、第２視野範囲ＡＲ２に沿って配置されており、下方位置となるにつれて孔の大きさ（開口領域）が狭くなるすり鉢状の構造となっている。このように、導光部材５０は、第２視野範囲ＡＲ２の外側において第２視野範囲ＡＲ２を囲む構成で環状に配置されており、且つ上端部５０ａが読取口５の内縁部に近接して配置されている。導光部材５０の上端部５０ａは、第２視野範囲ＡＲ２を囲む環状の端部構造となっており、このように環状に構成される上端部５０ａのいずれも、読取口５の内縁部の直下近傍に位置し、上端部５０ａのいずれの位置も、開口領域γの中心部よりも周縁部のほうが近くなっている。また、上端部５０ａのいずれの位置も、開口領域γでの視野範囲αの中心部Ｐ１よりも周縁部（境界線Ｐ２付近）のほうが近くなっている。
【００５６】
図３、図５、図７のように、一対の第１反射部５３，５４において、一方の第１反射部５４の反射面は、幅方向（第１方向）において他方の第１反射部５３に近づくにつれて下位置となる傾斜面として構成され、他方の第１反射部５３の反射面は、幅方向（第１方向）において一方の第１反射部５４に近づくにつれて下位置となる傾斜面として構成されている。更に、図３、図４のように、一対の第２反射部５１，５２において、一方の第２反射部５１の反射面は、前後方向（第２方向）において他方の第２反射部５２に近づくにつれて下位置となる傾斜面として構成され、他方の第２反射部５２の反射面は、前後方向（第２方向）において一方の第２反射部５１に近づくにつれて下位置となる傾斜面として構成されている。そして、照明光源２１は、一方の第１反射部５４、他方の第１反射部５３、一方の第２反射部５１、他方の第２反射部５２のいずれにも照明光を照射する構成となっている。なお、図３では、一方の第１反射部５４の領域を二点鎖線Ｊ１１で概念的に示し、他方の第１反射部５３の領域を二点鎖線Ｊ１２で概念的に示している。また、一方の第２反射部５１の領域を二点鎖線Ｊ２１で示し、他方の第２反射部５２の領域を二点鎖線Ｊ２２で示している。第１反射部５３の反射部は、ケース３の幅方向中心位置よりも幅方向一方側に配置され且つ第２視野範囲ＡＲ２の光軸Ｌ２よりも幅方向一方側に配置されており、幅方向の端部（第１光源２１ａ，２１ｂ寄りの端部）位置が、前後方向の長さが最も大きく、幅方向において第２視野範囲ＡＲ２の光軸Ｌ２側に近づくにつれて前後方向の長さが次第に小さくなっている。第１反射部５４の反射部は、ケース３の幅方向中心位置よりも幅方向他方側に配置され且つ第２視野範囲ＡＲ２の光軸Ｌ２よりも幅方向他方側に配置されており、幅方向の端部（第２光源２１ｃ，２１ｄ寄りの端部）位置が、前後方向の長さが最も大きく、幅方向において第２視野範囲ＡＲ２の光軸Ｌ２側に近づくにつれて前後方向の長さが次第に小さくなっている。第２反射部５１の反射部は、ケース３の前後中心位置よりも前後方向一方側に配置され且つ第２視野範囲ＡＲ２の光軸Ｌ２よりも前後方向一方側に配置されており、前後方向の端部（光軸Ｌ２とは反対側の端部）位置が、左右方向（幅方向）の長さが最も大きく、前後方向において第２視野範囲ＡＲ２の光軸Ｌ２側に近づくにつれて左右方向（幅方向）の長さが次第に小さくなっている。第２反射部５２の反射部は、ケース３の前後中心位置よりも前後方向他方側に配置され且つ第２視野範囲ＡＲ２の光軸Ｌ２よりも前後方向他方側に配置されており、前後方向の端部（光軸Ｌ２とは反対側の端部）位置が、左右方向（幅方向）の長さが最も大きく、前後方向において第２視野範囲ＡＲ２の光軸Ｌ２側に近づくにつれて左右方向（幅方向）の長さが次第に小さくなっている。
【００５７】
具体的には、図６、図８、図１０に示すように、第１光源２１ａ，２１ｂは、幅方向においてこれら第１光源２１ａ，２１ｂとは反対側（ケース３の幅方向中心位置に対して第１光源２１ａ，２１ｂとは反対側）に設けられた一方の第１反射部５４に向けて照明光を照射する構成となっており、第２光源２１ｃ，２１ｄは、幅方向においてこれら第２光源２１ｃ，２１ｄとは反対側（ケース３の幅方向中心位置に対して第２光源２１ｃ，２１ｄとは反対側）に設けられた他方の第１反射部５３に向けて照明光を照射する構成となっている。また、第１光源２１ａ，２１ｂは、幅方向（第１方向）において一方の第１反射部５４よりも他方の第１反射部５３に近い側に配置される他方側光源に相当し、第２光源２１ｃ，２１ｄは、幅方向（第１方向）において他方の第１反射部５３よりも一方の第１反射部５４に近い側に配置される一方側光源に相当する。そして、第２光源２１ｃ，２１ｄ（一方側光源）からの照明光が、他方の第１反射部５３及び一対の第２反射部５１，５２における第１反射部５３側（読取口５の幅方向中心位置よりも第１反射部５３側）の部分に対し、少なくともケース３の上下方向中心位置よりも上側の領域（望ましくは、各反射部のほぼ全体）に照射されるようになっている。また、第１光源２１ａ，２１ｂ（他方側光源）からの照明光が、一方の第１反射部５４及び一対の第２反射部５１，５２における第１反射部５４側（読取口５の幅方向中心位置よりも第１反射部５４側）の部分に対し、少なくともケース３の上下方向中心位置よりも上側の領域（望ましくは、各反射部のほぼ全体）に照射されるようになっている。なお、図１０では、第１光源２１ａからの照明光の照射エリアを太線の破線で概念的に示しており、第１光源２１ｂからの照明光の照射エリアを太線の実線で概念的に示しており、第２光源２１ｃからの照明光の照射エリアを太線の二点鎖線で概念的に示しており、第２光源２１ｄからの照明光の照射エリアを太線の一点鎖線で概念的に示している。
【００５８】
このように、第１光源２１ａ，２１ｂ及び第２光源２１ｃ，２１ｄから照射された照明光は、すり鉢状に構成された導光部材５０の壁面（第１反射部５３，５４及び第２反射部５１，５２の第２視野範囲ＡＲ２側の外面）に照射されるため、図１０のように平面視したときに、第１反射部５３，５４及び第２反射部５１，５２が全体的に明るく光ることになる。更に、図４、図５、図７のように、第１反射部５３，５４及び第２反射部５１，５２はいずれも、平面方向において視野範囲ＡＲ２の中心（光軸Ｌ２）側が下位置となる構成であり、光軸Ｌ２から遠い側が上位置となる構成となっている。このため、読取口５の開口領域γ（プレート７の上面において読取口５から露出する領域）において、この領域γ内の視野範囲α（図１０において境界線Ｐ２に囲まれる領域）では、周縁部付近（境界線Ｐ２付近）に近い導光部材５０の上端部５０ａ付近（第１反射部５３，５４及び第２反射部５１，５２の上端部付近）からの反射光がその周縁部付近（境界線Ｐ２付近）に届きやすくなる。よって、開口領域γ内の視野範囲α（図１０において境界線Ｐ２に囲まれる領域）では、当該視野範囲αの周縁部付近（境界線Ｐ２付近）の照度が当該視野範囲αの中心部Ｐ１付近の照度と比較して相対的に高くなる。一方、開口領域γにおける視野範囲αの中心部Ｐ１は、周縁部付近（境界線Ｐ２付近）と比較して第１反射部５３，５４及び第２反射部５１，５２からの距離が遠いため、第１反射部５３，５４及び第２反射部５１，５２で反射した照明光は、開口領域γにおいて視野範囲αの周縁部よりも中心部Ｐ１に届きにくくなる。よって、開口領域γ内の視野範囲α（図１０において境界線Ｐ２に囲まれる領域）では、中心部Ｐ１付近の照度が周縁部付近（境界線Ｐ２付近）の照度と比較して相対的に低くなる。なお、図１０では、開口領域γにおいて視野範囲αの中心部Ｐ１付近の照度よりも照度が高くなる高照度領域βをハッチング領域として概念的に示している。開口領域γでは、このように高照度領域βが構成されるため、開口領域γにおいてプレート７の上面に密着するように物体を配置した場合、この物体では、高照度領域βの位置の照度が相対的に大きく、中心部Ｐ１付近の照度が相対的に小さくなり、高照度領域βが中心部Ｐ１付近よりも相対的に明るくなる。
【００５９】
（外来ノイズ光の影響を抑える構成）
次に、外来ノイズ光の影響を抑えるための構成について説明する。
図１１には、図４のように切断した切断面（第１視野範囲ＡＲ１の中心となる第１光軸Ｌ１と、第２視野範囲ＡＲ２の中心となる第２光軸Ｌ２とを通る面で切断した切断面）における、プレート７、反射面２９ａ、読取口５、結像部２７、撮像部２３の位置関係を概念的に示している。なお、反射面２９ａは、反射部材２９のうちの上方側に露出する鏡面領域（反射領域）である。
【００６０】
本明細書では、図４、図１１のように第１視野範囲ＡＲ１の中心となる第１光軸Ｌ１と、第２視野範囲ＡＲ２の中心となる第２光軸Ｌ２とを通る面で切断した切断面において、反射部材２９の反射面２９ａの位置を通る直線を中心線Ｃ１とし、この中心線Ｃ１を中心としたときに視野範囲の主点Ｐａと線対称となる位置を第１仮想主点Ｐｂ１としている。この第１仮想主点Ｐｂ１は、図１１の切断面における第２視野範囲ＡＲ２の境界線（図１１では、２つの一点鎖線の直線で図示）の延長線上に位置している。そして、この切断面（図１１）において、プレート７の下面７ｂの位置を通る直線を中心線Ｃ２としたときに第１仮想主点Ｐｂ１と線対称となる位置を第２仮想主点Ｐｂ２としている。そして、中心線Ｃ１を中心としたときに第２仮想主点Ｐｂ２と線対称となる位置を第３仮想主点Ｐｂ３としている。なお、図１１では、第１仮想主点Ｐｂ１を起点とする第２視野範囲ＡＲ２のエリアを、中心線Ｃ２を中心として線対称にしたエリアを、第１の仮想視野範囲のエリア（第２仮想主点Ｐｂ２を起点とする二点鎖線で示すエリア）として示している。そして、第２仮想主点Ｐｂ２を起点とする第１の仮想視野範囲のエリア（第２仮想主点Ｐｂ２を起点とする二点鎖線で示すエリア）を、中心線Ｃ１を中心として線対称にしたエリアを、第２の仮想視野範囲のエリア（第３仮想主点Ｐｂ３を起点とする一点鎖線で示すエリア）として示している。この第２の仮想視野範囲のエリアは、このエリアにおいて斜め上方からの光がケース内に入り込んだ場合に、仮にこの光が中心線Ｃ１の位置で反射し、更に中心線Ｃ２の位置で反射したときに撮像部２３に映り込むことになるエリアである。
【００６１】
このように、第３仮想主点Ｐｂ３を定めた場合に、上記切断面（図４、図１１）において、第３仮想主点Ｐｂ３を起点として読取口５の一方の開口端部５ｄ（具体的には、第３仮想主点Ｐｂ３よりも遠い側の端部５ｄの上端位置）を通る第１の直線Ｌａ１と、第３仮想主点Ｐｂ３を起点として読取口５の他方の開口端部５ｃ（具体的には、第３仮想主点Ｐｂ３に近い側の端部５ｃの下端位置）を通る第２の直線Ｌａ２とを設定した場合に、これら第１の直線Ｌａ１と第２の直線Ｌａ２との間の領域に反射部材２９の反射面２９ａが配置されず、第１の直線Ｌａ１よりも下方に外れた位置のみに反射面２９ａ（反射部材２９において上方側に露出する鏡面領域）が配置されている。
【００６２】
このような位置関係で読取口５と反射部材２９の反射面２９ａを配置すると、上述の第２の仮想視野範囲において、ケース外から光が入り込む可能性のあるエリア（直線Ｌａ１と直線Ｌａ２の間の範囲）からケース３の内部に光が入り込んだとしても、その入り込んだ先に反射面２９ａが存在しないことになる。従って、このエリアから入り込んだ光が反射面２９ａで反射し、更に下面７ｂで反射して撮像部２３に映り込むようなことがない。また、第２の仮想視野範囲以外且つ第２視野範囲ＡＲ２以外のエリアからケース内に光が入り込み、その外来光が反射部材２９で反射し、その反射光がプレート７の裏面で鏡面反射したとしても、プレート７での鏡面反射光が撮像部２３に映り込みにくくなる。従って、外来光の映り込みに起因して情報コードＣが不鮮明に撮像される問題等をより確実に抑制することができ、外来光の映り込みに起因するデコード不良をより確実に低減することができる。
【００６３】
逆に、このような位置関係とせずに、図１４のように、反射部材２９の反射面２９ａを第１の直線Ｌａ１よりも上方まで延ばした場合、第３仮想主点Ｐｂ３を起点とする上述の第２の仮想視野範囲（特に、第１の直線Ｌａ１と第２の直線Ｌａ２との間の領域）内に反射面２９ａが存在することになり、図１４の第１の直線Ｌａ１と直線Ｌａ２’の範囲から外来光が入り込んで反射面２９ａで反射した場合、その反射光がプレート７の裏面（下面７ｂ）で鏡面反射したときに、鏡面反射光が撮像部２３で受光されてしまう経路となってしまう。本構成では、図１１のように、反射面２９ａを第１の直線Ｌａ１から下方に外しているため、このような外来光の映り込みを防ぐことができ、仮に、視野範囲外から反射面２９ａに外来光が入り込んでその反射光がプレート７の裏面（下面７ｂ）で鏡面反射したときでも、その鏡面反射光の経路が撮像部２３に受光されにくい経路となる。
【００６４】
（本構成の主な効果）
本構成では、ケース３の外部から読取口５を介して入り込む光を反射面２９ａで反射させる反射部材２９と、撮像部２３で撮像可能となる視野範囲を定めると共に、ケース３の外部から読取口５を通過して入り込み且つ反射部材２９で反射した光を撮像部２３に導く構成をなし、ケース３の外部において視野範囲に情報コードＣが配置されたときに当該情報コードＣの像を撮像部２３に結像させる結像部２７とを備えている。このように、ケース３内に反射部材２９を介在させ、結像部２７からケース３外まで続く視野範囲の経路（即ち、読取口５から入り込んだ光を結像部２７に導く経路）をケース３内において折れ曲がるように構成することで、ケース３の厚さをそれほど大きくしなくても、光学系から読取口５までの距離（読取口５から入り込んだ光が結像部２７に入り込むまでの光路長）を大きく確保しやすくなる。これにより、読取口５付近の視野範囲をより大きく確保しつつ、ケース３の厚さを低減して小サイズ化を図ることができる。
【００６５】
更に、結像部２７によって設定される第１視野範囲ＡＲ１の中心となる第１光軸Ｌ１と、第２視野範囲ＡＲ２の中心となる第２光軸Ｌ２とを通る面で切断した切断面において、反射部材２９の反射面２９ａの位置を中心線としたときの視野範囲の主点Ｐａと対称の位置を第１仮想主点Ｐｂ１とし、プレート７の下面の位置を中心線としたときの第１仮想主点Ｐｂ１と対称の位置を第２仮想主点Ｐｂ２とし、反射部材２９の反射面２９ａの位置を中心線としたときの第２仮想主点Ｐｂ２と対称の位置を第３仮想主点Ｐｂ３とした場合、第３仮想主点Ｐｂ３を起点として読取口５の一方の開口端部５ｄを通る第１の直線Ｌａ１と、第３仮想主点Ｐｂ３を起点として読取口５の他方の開口端部５ｃを通る第２の直線Ｌａ２との間の範囲よりも下方に外れた位置に反射部材２９が配置されている。
このような位置関係で読取口５と反射部材２９を配置すると、視野範囲とは異なる領域から読取口５内に入り込んだ外来光が反射部材２９で反射し、その反射光がプレート７の裏面で鏡面反射したときに、プレート７での鏡面反射光が撮像部２３に映り込みにくくなる。従って、外来光の映り込みに起因して情報コードＣが不鮮明に撮像される問題等をより確実に抑制することができ、外来光の映り込みに起因するデコード不良をより確実に低減することができる。
【００６６】
また、本構成では、第１視野範囲ＡＲ１の中心となる第１光軸Ｌ１が上下方向と直交する方向に延び、第２視野範囲ＡＲ２の中心となる第２光軸Ｌ２が上下方向に延びている。このようにすると、結像部２７を特異な傾きにすることなく第２視野範囲ＡＲ２の光軸（第２光軸Ｌ２）を上下方向に定めることができる。そして、このように第２視野範囲ＡＲ２の光軸（第２光軸Ｌ２）を上下方向に定めると、使用者は、情報コードＣが付された面を特別な向きにする必要がなく、水平にするように翳せば、情報コードＣをより簡単に読み取らせやすくなる。
【００６７】
また、本構成では、プレート７の上面７ａを覆う構成で当該プレート７での光の透過を抑制又は遮断する被覆層８（遮光層）が形成されており、読取口５が被覆層８（遮光層）の開口部によって構成されている。このようにすると、ケース３の形状を複雑にしなくても、被覆層８（遮光層）の範囲を調整することで外来光の映り込みを簡単に抑えることができる。なお、図４、図１１等の例では、プレート７の上面７ａを覆う被覆層８に形成された開口部が読取口５となっていたが、プレート７の下面７ｂを覆う構成で同様の被覆層が配置されていてもよく、この場合、この被覆層に形成された開口部を読取口とすればよい。
【００６８】
また、本構成では、照明光を照射する照明光源２１と、ケース３の内部において照明光源２１からの照明光が照射される位置に配置され、照明光源２１からの照明光が読取口５の開口領域を通ってケース３の外部に照射されるように導く導光部材５０と、を備え、導光部材５０の少なくとも一部（具体的には、反射部５１）が、反射部材２９の上端部側からプレート７側に続くように配置されている。
この構成では、反射部材２９をプレート７からある程度離して配置することで外来光の映り込みを抑制することができ、このように意図的に空けたスペースを導光部材５０の配置スペースとして利用することができる。特に、プレート７近傍が導光部材５０の配置領域となるため、照明光源２１からの光をより効率的に読取口５近傍に照射することができる。
【００６９】
[第２実施形態]
次に、図１２等を参照し、第２実施形態について説明する。
なお、第２実施形態では、第１実施形態においてプレート７と被覆層８とが積層されていた部分を、遮光性のケース３に変更した点のみが第１実施形態と異なり、それ以外は第１実施形態と同一である。
【００７０】
本構成でも、結像部２７によって設定される第１視野範囲ＡＲ１の中心となる第１光軸Ｌ１と、第２視野範囲ＡＲ２の中心となる第２光軸Ｌ２とを通る面で切断した切断面において、反射部材２９の反射面２９ａの位置を中心線Ｃ１としたときの視野範囲の主点Ｐａと対称の位置を第１仮想主点Ｐｂ１とし、プレート７の下面７ｂの位置を中心線Ｃ２としたときの第１仮想主点Ｐｂ１と対称の位置を第２仮想主点Ｐｂ２とし、中心線Ｃ１を中心としたときの第２仮想主点Ｐｂ２と対称の位置を第３仮想主点Ｐｂ３とした場合、第３仮想主点Ｐｂ３を起点として読取口５の一方の開口端部５ｄを通る第１の直線Ｌａ１と、第３仮想主点Ｐｂ３を起点として読取口５の他方の開口端部５ｃを通る第２の直線Ｌａ２との間の範囲よりも下方に外れた位置のみに反射面２９ａ（ケース外からの光を反射し得る領域）が配置されている。この構成により、第１実施形態と同様の効果が得られる。
【００７１】
そして、ケース３の上面部においてプレート７の周囲に遮光性材料（ケース３の一部）が配置されると共に、当該遮光性材料に形成された開口部が読取口５として構成されており、プレート７は、開口部を閉塞する構成で配置されている。このようにすると、遮光性材料の形状を調整することで、外来光の映り込みを簡単に抑えることができる。また、プレート７をより小さくすることができるため、プレート７の内面で生じる内部反射光をより低減することができ、内部反射光に起因する映り込みをより一層低減しやすくなる。
【００７２】
[第３実施形態]
次に、図１３等を参照し、第３実施形態について説明する。
なお、第３実施形態では、水平方向（上下方向と直交する平面方向）と反射面２９ａとのなす角度を４５°よりも大きくし、第２視野範囲ＡＲ２の第２光軸Ｌ２を上下方向に対して傾けた点が第２実施形態と異なり、それ以外は第２実施形態と同一である。
【００７３】
本構成でも、図１３のように、結像部２７によって設定される第１視野範囲ＡＲ１の中心となる第１光軸Ｌ１と、第２視野範囲ＡＲ２の中心となる第２光軸Ｌ２とを通る面で切断した切断面（図１３）において、反射部材２９の反射面２９ａの位置を中心線Ｃ１としたときの視野範囲の主点Ｐａと対称の位置を第１仮想主点Ｐｂ１とし、プレート７の下面の位置を中心線Ｃ２としたときの第１仮想主点Ｐｂ１と対称の位置を第２仮想主点Ｐｂ２とし、中心線Ｃ１を中心としたときの第２仮想主点Ｐｂ２と対称の位置を第３仮想主点Ｐｂ３とした場合、第３仮想主点Ｐｂ３を起点として読取口５の一方の開口端部５ｄ（具体的には一方の開口端部５ｄの上端位置）を通る第１の直線Ｌａ１と、第３仮想主点Ｐｂ３を起点として読取口５の他方の開口端部５ｃ（具体的には他方の開口端部５ｃの下端位置）を通る第２の直線Ｌａ２との間の範囲よりも下方に外れた位置に反射部材２９の反射面２９ａ（ケース外からの光を反射し得る領域）が配置されている。この構成により、第１実施形態と同様の効果が得られる。
【００７４】
更に、本構成では、第１視野範囲ＡＲ１の中心となる第１光軸Ｌ１と、反射部材２９の反射面２９ａとのなす角度が４５°よりも大きく、水平方向と反射面２９ａとのなす角度が４５°よりも大きくなっている。そして、図１３の切断面において、第２光軸Ｌ２は、上方となるにつれて前後方向の位置が端部５ｄ側に寄るように上下方向に対して傾斜しており、第２仮想主点Ｐｂ２は、前後方向の位置が第２光軸Ｌ２よりも、端部５ｃ側となっている。このようにすると、第３仮想主点Ｐｂ３をより上方の位置に設定しやすくなるため。ケース内における第１の直線Ｌａ１の位置がより上位置になる。従って、外来光の映り込みを抑えつつ、反射部材２９の反射面２９ａをより大きく確保しやすくなり、読取口５付近の視野範囲をより広く確保しやすくなる。
【００７５】
[第４実施形態]
次に、図１５等を参照し、第４実施形態について説明する。図１５の構成は、ケース３の構成のみが第１実施形態と異なり、それ以外は、第１実施形態又は第２実施形態と同様である。
【００７６】
この構成でも、ケース３の内部に撮像部２３と、反射部材２９と、結像部２７とが収容されている。そして、反射部材２９は、ケース３の内部において読取口５の下方側に配置されると共に、上下方向と直交する平面方向に対して傾斜して配置される反射面２９ａを備え、ケース３の外部から読取口５を介して入り込む光を反射面２９ａで反射させる構成となっている。そして、結像部２７は、撮像部２３で撮像可能となる視野範囲（第１視野範囲ＡＲ１、第２視野範囲ＡＲ２）を定めると共に、ケース３の外部から読取口５を通過して入り込み且つ反射部材２９で反射した光を撮像部２３に導く構成をなし、ケース３の外部において視野範囲に情報コードが配置されたときに当該情報コードの像を撮像部２３に結像させる構成となっている。
【００７７】
そして、ケース３を閉塞するように光透過性のプレート７が配置され、このプレート７は、少なくとも一部が視野範囲に配置される構成となっている。なお、プレート７の近傍の構造は、第１実施形態のような構造であってもよく、第２実施形態のような構造であってもよい。プレート７の近傍の構造として、第１実施形態のような構造を用いる場合、プレート７の上面部を部分的に覆う構成で光遮光性の塗料などからなる被覆層が形成されることになる。この場合、例えば被覆層を環状に形成し、被覆層の内縁部によって構成される開口部が読取口５となるように構成すればよい。また、プレート７の近傍の構造として、第２実施形態のような構造を用いる場合、ケース３の上面部においてプレート７の周囲に遮光性材料（ケース３の一部）が配置された構造とし、当該遮光性材料に形成された開口部を読取口５とすればよい。この場合、プレート７は、開口部を閉塞する構成で配置されていればよい。以下では、プレート７の近傍の構造として、第２実施形態のような構造が用いられる場合を代表例として説明する。
【００７８】
本構成でも、結像部２７は、上述したように広角レンズとして機能する結像レンズによって構成され、図１５に示すようにプレート７から離れた位置（より詳しくは、ケース３の上下方向中心位置よりも下方寄りの位置且つ反射面２９ａの側方の位置）に配置されている。この結像部２７は、ケース３の外部から読取口５を通過して入り込み且つ反射部材２９で反射した光を撮像部２３に導く機能を有し、ケース３の内外において撮像部２３で撮像可能となる視野範囲を定める構成となっている。
【００７９】
具体的には、図１５に示すように、視野範囲として、結像部２７と反射部材２９との間に構成される第１視野範囲ＡＲ１と、当該第１視野範囲ＡＲ１に続くように反射部材２９から上方側に構成される第２視野範囲ＡＲ２とを定めている。つまり、この第１視野範囲ＡＲ１及び第２視野範囲ＡＲ２を撮像エリアとするように、視野範囲からの光を撮像部２３の受光領域に向けて集光し結像させている。なお、第１視野範囲ＡＲ１は、結像部２７によって集光されて直接撮像部２３に撮像される視野範囲であり、第２視野範囲ＡＲ２は、反射部材２９に映り込んだ画像が撮像部２３に撮像される視野範囲である。そして、結像部２７は、ケース３の外部に設定された第２視野範囲ＡＲ２内に情報コードが配置されたときに当該情報コードの像を撮像部２３の受光領域に結像させるように機能している。
【００８０】
図１５には、第１視野範囲ＡＲ１の中心となる第１光軸Ｌ１と、第２視野範囲ＡＲ２の中心となる第２光軸Ｌ２とを通る面で切断した切断面における、プレート７、反射面２９ａ、読取口５、結像部２７、撮像部２３等の位置関係を概念的に示している。なお、反射面２９ａは、反射部材２９のうちの上方側に露出する鏡面領域（反射領域）である。この構成では、第２視野範囲ＡＲ２の受光光軸（第２光軸Ｌ２）の方向が上下方向となっており、ケース３を平坦な載置面Ｆに載置したときの、載置面Ｆと直交する方向も上下方向となっている。また、上記切断面（第１視野範囲ＡＲ１の中心となる第１光軸Ｌ１と第２視野範囲の中心となる第２光軸Ｌ２とを通る面で切断した切断面）と平行な方向であって且つ上下方向と直交する方向を横方向（左右方向）としている。更に、上下方向及び横方向（左右方向）と直交する方向を前後方向としている。
【００８１】
そして、本構成では、反射部材２９が撮像部２３に対して横方向一方側（図１５において、左側）に配置されており、図１５の切断面において、プレート７の下面７ｂは、横方向一方側（左側）よりも横方向他方側（右側）のほうが上方位置となるように傾斜している。より具体的には、プレート７の下面７ｂは、第１視野範囲ＡＲ１の中心となる第１光軸Ｌ１と、第２視野範囲ＡＲ２の中心となる第２光軸Ｌ２とを通る仮想平面（図１５の切断面）と直交する平坦面として構成されており、その上で、横方向一方側（左側）よりも横方向他方側（右側）のほうが上方位置となるように傾斜している。
【００８２】
この例では、図１５のように、第１視野範囲ＡＲ１の中心となる第１光軸Ｌ１と、第２視野範囲ＡＲ２の中心となる第２光軸Ｌ２とを通る面で切断した切断面において、反射部材２９の反射面２９ａの位置を通る直線を中心線Ｃ１とし、この中心線Ｃ１を中心としたときに視野範囲の主点Ｐａと線対称となる位置を第１仮想主点Ｐｂ１としている。この第１仮想主点Ｐｂ１は、図１５の切断面における第２視野範囲ＡＲ２の境界線（図１５では、２つの一点鎖線の直線で図示）の延長線上に位置している。そして、この切断面（図１５）において、プレート７の下面７ｂの位置を通る直線を中心線Ｃ２としたときに第１仮想主点Ｐｂ１と線対称となる位置を第２仮想主点Ｐｂ２としている。そして、中心線Ｃ１を中心としたときに第２仮想主点Ｐｂ２と線対称となる位置を第３仮想主点Ｐｂ３としている。
【００８３】
更に、図１５では、第１仮想主点Ｐｂ１を起点とする第２視野範囲ＡＲ２のエリアを、中心線Ｃ２を中心として線対称にしたエリアを、第１の仮想視野範囲のエリア（第２仮想主点Ｐｂ２を起点とする二点鎖線で示すエリア）として示している。そして、第２仮想主点Ｐｂ２を起点とする第１の仮想視野範囲のエリア（第２仮想主点Ｐｂ２を起点とする２本の二点鎖線で境界を示すエリア）を、中心線Ｃ１を中心として線対称にしたエリアを、第２の仮想視野範囲のエリア（第３仮想主点Ｐｂ３を起点とする２本の一点鎖線で示すエリア）として示している。この第２の仮想視野範囲のエリアは、このエリアにおいて第３仮想主点Ｐｂ３に向けて入り込む光が反射部材２９の反射面２９ａ（中心線Ｃ１の位置）で反射し、更にプレート７の下面７ｂ（中心線Ｃ２の位置）で反射したときに撮像部２３に映り込むことになるエリアである。
【００８４】
このように、第３仮想主点Ｐｂ３を定めた場合に、上記切断面（図１５）において、第３仮想主点Ｐｂ３を起点として読取口５の一方の開口端部５ｄ（具体的には、第３仮想主点Ｐｂ３よりも遠い側の端部５ｄの上端位置）を通る第１の直線と、第３仮想主点Ｐｂ３を起点として読取口５の他方の開口端部５ｃ（具体的には、第３仮想主点Ｐｂ３に近い側の端部５ｃの下端位置）を通る第２の直線とを設定した場合に、これら第１の直線と第２の直線との間の領域に反射部材２９の反射面２９ａが配置されず、第１の直線と第２の直線との間の領域よりも下方に外れた位置のみに反射面２９ａ（反射部材２９において上方側に露出する鏡面領域）が配置されている。
【００８５】
より具体的には、図１５で示す切断面において、プレート７の下面７ｂの位置を通る仮想平面よりも第３仮想主点Ｐｂ３のほうが上方位置に配置されている。このような位置関係で、読取口５、プレート７の下面７ｂ、反射部材２９の反射面２９ａを配置すると、上述の第２の仮想視野範囲が読取口５よりも下側に向くことになり、読取口５の上方側からの光が第２の仮想視野範囲に入り込むことによる映り込みが生じないことになる。より具体的には、第２の仮想視野範囲のエリアに読取口５の開口領域が存在せず、読取口５の直下領域において読取口５の開口領域よりも下側に第２の仮想視野範囲のエリアが存在するようになっている。そして、第２の仮想視野範囲において第３仮想主点Ｐｂ３に向かおうとする光は、読取口５を通過してケース内に入り込む光ではない構造となっている。このような構造により、映り込みの抑制効果を高めている。
【００８６】
以上のように、本構成でも第１実施形態と同様、映り込みの防止効果が得られる。
また、本構成では、第１光軸Ｌ１と第２光軸Ｌ２とを通る面で切断した切断面（図１５）と平行な方向であって且つ上下方向と直交する方向を横方向としたとき、反射部材２９が撮像部２３に対して横方向一方側に配置されており、プレート７の下面７ｂは、横方向一方側よりも横方向他方側のほうが上方位置となるように傾斜している。このように、横方向一方側よりも横方向他方側のほうが上方位置となるようにプレート７の下面７ｂを傾斜させることで、反射部材２９や読取口５をより広く確保しつつ、外来光の悪影響が懸念されるエリアをより削減しやすくなる。ゆえに、プレート７の近傍においてより広い読取範囲を確保しやすく、その一方で、外来光の映り込みに起因して情報コードが不鮮明に撮像される問題等をより確実に抑制することができ、外来光の映り込みに起因するデコード不良をより確実に低減することができる。
【００８７】
また、本構成では、図１５で示す切断面において、反射部材２９の反射面２９ａの位置を中心線Ｃ１としたときの視野範囲の主点Ｐａと対称の位置を第１仮想主点Ｐｂ１とし、プレート７の下面７ｂの位置を中心線Ｃ２としたときの第１仮想主点Ｐｂ１と対称の位置を第２仮想主点Ｐｂ２とし、反射部材２９の反射面２９ａの位置を中心線Ｃ１としたときの第２仮想主点Ｐｂ２と対称の位置を第３仮想主点Ｐｂ３とした場合、プレート７の下面７ｂの位置を通る仮想平面よりも第３仮想主点Ｐｂ３のほうが上方位置に配置されている。このような関係で構成すると、視野範囲とは異なる領域から読取口５内に入り込んだ外来光が反射部材２９で反射し、その反射光がプレート７の裏面７ｂで鏡面反射したときに、その鏡面反射光の向きを、撮像部２３に向かう方向からより一層外すことができる。具体的には、上述の第２の仮想視野範囲が読取口５よりも下側に向くことになり、読取口５の上方側からの光が第２の仮想視野範囲に入り込むことによる映り込みが生じないことになる。ゆえに、プレート７での鏡面反射光が撮像部２３に映り込むことを、より確実に排除しやすくなる。
【００８８】
[第５実施形態]
第５実施形態の構成では、第１視野範囲ＡＲ１の中心となる第１光軸Ｌ１と、第２視野範囲ＡＲ２の中心となる第２光軸Ｌ２とを通る面で切断した切断面において、視野範囲の両境界間の画角である垂直画角が３０度（図１６）、４０度（図１７）、５０度（図１８）である場合を示しており、４０度以上をより望ましい例としている。図１６〜図１８の例は、垂直画角以外は、例えば第１実施形態又は第２実施形態と同様となっている。
【００８９】
図１６〜図１８のいずれの構成でも、ケース３の内部に撮像部２３と、反射部材２９と、結像部２７とが収容されている。そして、反射部材２９は、ケース３の内部において読取口５の下方側に配置されると共に、上下方向と直交する平面方向に対して傾斜して配置される反射面２９ａを備え、ケース３の外部から読取口５を介して入り込む光を反射面２９ａで反射させる構成となっている。そして、結像部２７は、撮像部２３で撮像可能となる視野範囲（第１視野範囲ＡＲ１、第２視野範囲ＡＲ２）を定めると共に、ケース３の外部から読取口５を通過して入り込み且つ反射部材２９で反射した光を撮像部２３に導く構成をなし、ケース３の外部において視野範囲に情報コードが配置されたときに当該情報コードの像を撮像部２３に結像させる構成となっている。
【００９０】
そして、ケース３を閉塞するように光透過性のプレート７が配置され、このプレート７は、少なくとも一部が視野範囲に配置される構成となっている。なお、プレート７の近傍の構造は、第１実施形態のような構造であってもよく、第２実施形態のような構造であってもよい。プレート７の近傍の構造として、第１実施形態のような構造を用いる場合、プレート７の上面部を部分的に覆う構成で光遮光性の塗料などからなる被覆層が形成されることになる。この場合、例えば被覆層を環状に形成し、被覆層の内縁部によって構成される開口部が読取口５となるように構成すればよい。また、プレート７の近傍の構造として、第２実施形態のような構造を用いる場合、ケース３の上面部においてプレート７の周囲に遮光性材料（ケース３の一部）が配置された構造とし、当該遮光性材料に形成された開口部を読取口５とすればよい。この場合、プレート７は、開口部を閉塞する構成で配置されていればよい。以下では、プレート７の近傍の構造として、第２実施形態のような構造が用いられる場合を代表例として説明する。
【００９１】
図１６〜図１８のいずれの構成でも、結像部２７は、プレート７から離れた位置（より詳しくは、ケース３の上下方向中心位置よりも下方寄りの位置且つ反射面２９ａの側方の位置）に配置されている。この結像部２７は、ケース３の外部から読取口５を通過して入り込み且つ反射部材２９で反射した光を撮像部２３に導く機能を有し、ケース３の内外において撮像部２３で撮像可能となる視野範囲を定める構成となっている。具体的には、図１５に示すように、視野範囲として、当該結像部２７と反射部材２９との間に構成される第１視野範囲ＡＲ１と、当該第１視野範囲ＡＲ１に続くように反射部材２９から上方側に構成される第２視野範囲ＡＲ２とを定めている。つまり、この第１視野範囲ＡＲ１及び第２視野範囲ＡＲ２を撮像エリアとするように、視野範囲からの光を撮像部２３の受光領域に向けて集光し結像させている。なお、第１視野範囲ＡＲ１は、結像部２７によって集光されて直接撮像部２３に撮像される視野範囲であり、第２視野範囲ＡＲ２は、反射部材２９に映り込んだ画像が撮像部２３に撮像される視野範囲である。そして、ケース３の外部に設定された第２視野範囲ＡＲ２内に情報コードが配置されたときに当該情報コードの像を撮像部２３の受光領域に結像させるように機能している。
【００９２】
そして、図１６〜図１８のいずれの例でも、第１視野範囲ＡＲ１の中心となる第１光軸Ｌ１と、第２視野範囲ＡＲ２の中心となる第２光軸Ｌ２とを通る面で切断した切断面において、反射部材２９の反射面２９ａの位置を通る直線を中心線Ｃ１とし、この中心線Ｃ１を中心としたときに視野範囲の主点Ｐａと線対称となる位置を第１仮想主点Ｐｂ１としている。この第１仮想主点Ｐｂ１は、図１６〜図１８の各切断面における第２視野範囲ＡＲ２の境界線（図１６〜図１８では、２つの一点鎖線の直線で図示）の延長線上に位置している。そして、切断面において、プレート７の下面７ｂの位置を通る直線を中心線Ｃ２としたときに第１仮想主点Ｐｂ１と線対称となる位置を第２仮想主点Ｐｂ２としている。そして、中心線Ｃ１を中心としたときに第２仮想主点Ｐｂ２と線対称となる位置を第３仮想主点Ｐｂ３としている。なお、図１６〜図１８では、第１仮想主点Ｐｂ１を起点とする第２視野範囲ＡＲ２のエリアを、中心線Ｃ２を中心として線対称にしたエリアを、第１の仮想視野範囲のエリア（第２仮想主点Ｐｂ２を起点とする二点鎖線で示すエリア）として示している。そして、第２仮想主点Ｐｂ２を起点とする第１の仮想視野範囲のエリア（第２仮想主点Ｐｂ２を起点とする二点鎖線で示すエリア）を、中心線Ｃ１を中心として線対称にしたエリアを、第２の仮想視野範囲のエリア（第３仮想主点Ｐｂ３を起点とする一点鎖線で示すエリア）として示している。この第２の仮想視野範囲のエリアは、このエリアに入り込んで第３仮想主点Ｐｂ３に向かおうとする光が反射部材２９の反射面２９ａ（中心線Ｃ１の位置）で反射し、更にプレート７の下面７ｂ（中心線Ｃ２の位置）で反射したときに撮像部２３に映り込むことになるエリアである。
【００９３】
図１６〜図１８の構成のうち、図１６のように垂直画角が狭い構成では、第３仮想主点Ｐｂ３を基点として広がる第２の仮想視野範囲のエリアが読取口５よりも下側になり、第２の仮想視野範囲内に読取口５の開口領域が存在しない構成となっている。つまり、読取口５を介してケース外側から入り込む光は、第２の仮想視野範囲のエリアに入り込んで第３仮想主点Ｐｂ３に向かおうとする光にはならない構成であるため、外来光に起因する映り込みは防ぎ易くなる。しかしながら、視野範囲が狭いため、例えば、読取口付近に大きな情報コードを配置して読み取るような場合に、情報コードが視野範囲から外れやすくなる。
【００９４】
一方、図１７、図１８のように、垂直画角が４０度以上となるように構成することで、より広い視野範囲を確保しやすくなる。但し、このように視野範囲を広角に広げると、第３仮想主点Ｐｂ３を基点として広がる第２の仮想視野範囲のエリアの上端の境界が読取口５の開口内を通る構成（即ち、第２の仮想視野範囲のエリア内に読取口５の開口領域が存在する構成）となり、読取口５の外側からの外来光が第２仮想視野範囲に入り込む可能性が生じる。このように広い視野範囲の場合、図１９、図２０のように、読取口５の外側から第２仮想視野範囲に入り込んだ光（具体的には、第３仮想主点Ｐｂ３に向かおうとする光）が反射面２９ａに入射し得るように構成してしまうと、この外来光が撮像画像に映り込んでしまうことになる。一方、図１７、図１８のように、第１の直線Ｌａ１と第２の直線Ｌａ２との間の領域に反射面２９ａが存在しないように、反射部材２９を配置し、外来光の影響を抑制可能な構成とすれば、視野範囲を広角に広げつつ、外来光の映り込みに起因するデコード不良をより確実に低減することができる。なお、このように垂直画角を４０度以上とする思想は、上述した、又は後述するいずれの構成でも適用が可能である。
【００９５】
［他の実施形態]
本発明は上記記述及び図面によって説明した実施形態に限定されるものではなく、例えば次のような実施形態も本発明の技術的範囲に含まれる。
【００９６】
第１、第２実施形態では、第１視野範囲ＡＲ１の中心となる第１光軸Ｌ１が水平方向となり、第２視野範囲ＡＲ２の中心となる第２光軸Ｌ２が上下方向となる例を示したが、このような例に限られない。例えば、第１光軸Ｌ１が水平方向に対して傾いていてもよく、第２光軸Ｌ２が上下方向に対して傾いていてもよい。また、第３実施形態では、第１視野範囲ＡＲ１の中心となる第１光軸Ｌ１が水平方向となる例を示したが、第１光軸Ｌ１が水平方向に対して傾いていてもよい。
【００９７】
据置構造として、載置面に載置する例を示したが、読取作業を行う者が手に持たずに設置場所に設置して使用可能であればよく、例えば、机などに埋め込んで固定するような据置構成であってもよく、壁などに固定するような据置構造であってもよい。
【符号の説明】
【００９８】
１…据置型情報コード読取装置
３…ケース
５…読取口
５ｃ…他方の開口端部
５ｄ…一方の開口端部
７…プレート
８…被覆層（遮光層）
２１…照明光源
２３…撮像部
２７…結像部
２９…反射部材
２９ａ…反射面
４０…制御回路（解読部）
５０…導光部材
ＡＲ１…第１視野範囲（視野範囲）
ＡＲ２…第２視野範囲（視野範囲）
Ｌ１…第１光軸
Ｌ２…第２光軸
Ｌａ１…第１の直線
Ｌａ２…第２の直線
γ…開口領域
Ｃ…情報コード
Ｐａ…視野範囲の主点
Ｐｂ１…第１仮想主点
Ｐｂ２…第２仮想主点
Ｐｂ３…第３仮想主点
【図１】
2015179507.tif 000003
【図２】
2015179507.tif 000004
【図３】
2015179507.tif 000005
【図４】
2015179507.tif 000006
【図５】
2015179507.tif 000007
【図６】
2015179507.tif 000008
【図７】
2015179507.tif 000009
【図８】
2015179507.tif 000010
【図９】
2015179507.tif 000011
【図１０】
2015179507.tif 000012
【図１１】
2015179507.tif 000013
【図１２】
2015179507.tif 000014
【図１３】
2015179507.tif 000015
【図１４】
2015179507.tif 000016
【図１５】
2015179507.tif 000017
【図１６】
2015179507.tif 000018
【図１７】
2015179507.tif 000019
【図１８】
2015179507.tif 000020
【図１９】
2015179507.tif 000021
【図２０】
2015179507.tif 000022